(57)【特許請求の範囲】
【請求項１】
信号を伝送する第１のチャンネルと、
前記第１のチャンネルと異なる信号を伝送する第２のチャンネルと、
前記第１及び第２のチャンネル間に設けられたダミーチャンネルと、を備え、
前記第１及び第２のチャンネルは、それぞれ、
入力信号を増幅する増幅器と、
前記増幅器から出力された信号に基づいて駆動信号を生成する変調回路と、
前記駆動信号に基づいて駆動する発光素子と、を備え、
前記ダミーチャンネルは、
利得が飽和した出力信号を出力するダミーチャンネル用増幅器を備える多チャンネル光送信モジュール。
【請求項２】
直列接続された複数の前記ダミーチャンネル用増幅器を備えることを特徴とする請求項１に記載の多チャンネル光送信モジュール。
【請求項３】
前記第１及び第２のチャンネルに入力される前記入力信号が差動信号であることを特徴とする請求項１又は２に記載の多チャンネル光送信モジュール。
【請求項４】
前記第１及び第２のチャンネルの伝送速度が２０Ｇｂｐｓ以上あることを特徴とする請求項１〜３のいずれか一項に記載の多チャンネル光送信モジュール。
【請求項５】
信号を伝送する第１のチャンネルと、
前記第１のチャンネルと異なる信号を伝送する第２のチャンネルと、
前記第１及び第２のチャンネル間に設けられたダミーチャンネルと、を備え、
前記第１及び第２のチャンネルは、それぞれ、
受信した光信号を電気信号に変換する受光素子と、
前記電気信号を増幅する増幅器と、を備え、
前記ダミーチャンネルは、
利得が飽和した出力信号を出力するダミーチャンネル用増幅器を備える多チャンネル光受信モジュール。
【請求項６】
直列接続された複数の前記ダミーチャンネル用増幅器を備えることを特徴とする請求項５に記載の多チャンネル光受信モジュール。
【請求項７】
前記第１及び第２のチャンネルから出力される出力信号が差動信号であることを特徴とする請求項５又は６に記載の多チャンネル光受信モジュール。
【請求項８】
前記第１及び第２のチャンネルの伝送速度が２０Ｇｂｐｓ以上あることを特徴とする請求項５〜７のいずれか一項に記載の多チャンネル光受信モジュール。
【請求項９】
信号を伝送する第１のチャンネルと、前記第１のチャンネルと異なる信号を伝送する第２のチャンネルと、の間にダミーチャンネルを設け、
前記第１及び第２のチャンネルに、それぞれ、入力信号を増幅する増幅器と、前記増幅器から出力された信号に基づいて駆動信号を生成する変調回路と、前記駆動信号に基づいて駆動する発光素子と、を設け、
前記ダミーチャンネルに、利得が飽和した出力信号を出力するダミーチャンネル用増幅器を設ける多チャンネル光送信モジュールの構成方法。
【請求項１０】
信号を伝送する第１のチャンネルと、前記第１のチャンネルと異なる信号を伝送する第２のチャンネルと、の間にダミーチャンネルを設け、
前記第１及び第２のチャンネルに、それぞれ、受信した光信号を電気信号に変換する受光素子と、前記電気信号を増幅する増幅器と、を設け、
前記ダミーチャンネルに、利得が飽和した出力信号を出力するダミーチャンネル用増幅器を設ける多チャンネル光受信モジュールの構成方法。
【発明の詳細な説明】
【技術分野】
【０００１】
本発明は、光インターコネクションに用いる多チャンネル光送信モジュールとその構成方法、及び、多チャンネル光受信モジュールとその構成方法に関する。
【背景技術】
【０００２】
インタ―ネットを介して送受信されるデータ容量の増大に伴い、高速光通信の需要が高まっている。また、高速光通信の多チャンネル化及びチャンネルあたりの伝送速度の向上、さらに、光モジュールの小型化も求められている。ここで、小型パッケージにおいて多チャンネル化及びチャンネルあたりの伝送速度の向上を進めていくと、クロストーク信号の問題が生じる。
【０００３】
特に高速化に伴い、光ＩＣ（Integrated Circuit）のチャンネル間においてクロストーク信号が問題になってくる。光ＩＣに入力される信号の強度がチャンネル毎に異なり、互いに隣接するチャンネル間において、増幅器へ入力する信号の振幅強度差が大きい程、クロストーク信号が生じやすい。なぜなら、あるチャネルに隣接するチャンネルの信号が大きいと、隣接チャンネルの信号に起因するクロストーク信号も当該チャネルの主信号に対して相対的に大きくなる。また、振幅強度の大きい信号が増幅器へ入力された場合に比べ、振幅強度の小さい信号が増幅器へ入力された場合の方が、増幅器における増幅率が大きく、クロストーク信号は主信号に比べ増幅率が大きいからである。
【０００４】
送信光モジュールでは、ホストＩＣから入力される差動電圧信号をＬＤ（laser diode）ドライバで増幅し、光変調器（光源）を駆動（変調）する。一方、受信光モジュールでは、光伝送路を通過してきた光信号をＰＤ（photo diode）で電流に変換し、トランスインピーダンスアンプ（ＴＩＡ：Trans-Impedance Amplifier）で電圧信号に変換し、増幅する。多チャンネル光モジュールでは、これら構成要素がチャンネル毎に設けられ、同一平面上においてアレイ状に並べて配列される。例えば、特許文献１の図１には、このようなアレイ型の多チャンネル光モジュールが開示されている。
【０００５】
ここで、特許文献１の図３では、信号を増幅するプリアンプと並列に参照用アンプが配置されている。プリアンプと参照用アンプの信号は入力識別回路に送られて０と１に識別される。特許文献１では、参照用アンプにおいて、プリアンプと同相のクロストーク信号が増幅され、多チャンネルからのクロストーク信号を取り除くことができるとされている。
【０００６】
ところで、近年、信号伝送の高速化及び光モジュールの低コスト化に伴い、入力識別回路は光モジュール内には配置されず、光モジュールには電気の差動信号が入出力されるようになった。
【先行技術文献】
【特許文献】
【０００７】
【特許文献１】特開２００１−６８９４７号公報
【発明の概要】
【発明が解決しようとする課題】
【０００８】
特許文献１に開示された光モジュールでは、プリアンプには信号が入力されるが、参照用アンプには信号が入力されない。信号の入力がある場合には信号が大きくなるにつれて増幅率が小さくなるが、信号入力がない場合には微小ノイズを最大の増幅率で増幅する。このため、クロストーク信号の増幅率が異なり、クロストーク信号が除去しきれなかった。さらに、多チャンネルのモジュールでは、各チャンネルの信号線路において異なる信号が伝送される場合、クロストーク信号の影響は他信号線路からの距離に依存する。そのため、高密度アレイ状に実装されたモジュールでは、プリアンプと参照アンプとが並列接続されていても、プリアンプと参照アンプとがそれぞれ異なるもう一つの最近接チャンネルの影響を受け、異なるクロストーク信号を増幅するおそれがあった。
【０００９】
また、差動信号を用いた場合であっても、差動信号線路のそれぞれに同相のクロストーク信号が均等に乗るわけではない。すなわち、差動信号線路のそれぞれが異なる最近接の他信号線路の影響を受け、クロストーク信号を十分に除去することができなかった。
【００１０】
本発明はこのような背景のもとに行われたものであり、本発明の目的は、チャンネル間のクロストーク信号が効果的に除去された多チャンネル光モジュールを提供することである。
【課題を解決するための手段】
【００１１】
本発明に係る多チャンネル光送信モジュールは、
信号を伝送する第１のチャンネルと、
前記第１のチャンネルと異なる信号を伝送する第２のチャンネルと、
前記第１及び第２のチャンネル間に設けられたダミーチャンネルと、を備え、
前記第１及び第２のチャンネルは、それぞれ、
入力信号を増幅する増幅器と、
前記増幅器から出力された信号に基づいて駆動信号を生成する変調回路と、
前記駆動信号に基づいて駆動する発光素子と、を備え、
前記ダミーチャンネルは、
利得が飽和した出力信号を出力するダミーチャンネル用増幅器を備えるものである。
【００１２】
本発明に係る多チャンネル光受信モジュールは、
信号を伝送する第１のチャンネルと、
前記第１のチャンネルと異なる信号を伝送する第２のチャンネルと、
前記第１及び第２のチャンネル間に設けられたダミーチャンネルと、を備え、
前記第１及び第２のチャンネルは、それぞれ、
受信した光信号を電気信号に変換する受光素子と、
前記電気信号を増幅する増幅器と、を備え、
前記ダミーチャンネルは、
利得が飽和した出力信号を出力するダミーチャンネル用増幅器を備えるものである。
【００１３】
本発明に係る多チャンネル光送信モジュールの構成方法は、
信号を伝送する第１のチャンネルと、前記第１のチャンネルと異なる信号を伝送する第２のチャンネルと、の間にダミーチャンネルを設け、
前記第１及び第２のチャンネルに、それぞれ、入力信号を増幅する増幅器と、前記増幅器から出力された信号に基づいて駆動信号を生成する変調回路と、前記駆動信号に基づいて駆動する発光素子と、を設け、
前記ダミーチャンネルに、利得が飽和した出力信号を出力するダミーチャンネル用増幅器を設けるものである。
【００１４】
本発明に係る多チャンネル光受信モジュールの構成方法は、
信号を伝送する第１のチャンネルと、前記第１のチャンネルと異なる信号を伝送する第２のチャンネルと、の間にダミーチャンネルを設け、
前記第１及び第２のチャンネルに、それぞれ、受信した光信号を電気信号に変換する受光素子と、前記電気信号を増幅する増幅器と、を設け、
前記ダミーチャンネルに、利得が飽和した出力信号を出力するダミーチャンネル用増幅器を設けるものである。
【発明の効果】
【００１５】
本発明によれば、他チャンネルからのクロストーク信号が効果的に除去された多チャンネル光モジュールを提供することができる。
【図面の簡単な説明】
【００１６】
【図１Ａ】本発明の第１の実施の形態に係る光送信モジュールの回路構成図である。
【図１Ｂ】本発明の第１の実施の形態に係る光受信モジュールの回路構成図である。
【図２Ａ】増幅器の入出力特性（一様増加）を示すグラフである。
【図２Ｂ】増幅器の入出力特性（一様減少）を示すグラフである。
【図３】本発明の第１の実施の形態に係る光送信モジュールの変形例を示す回路構成図である。
【図４Ａ】比較例における増幅器の入力信号Ｖｉｎに対して出力信号Ｖｏｕｔが一様増加する場合のクロストーク信号の影響を示すグラフである。
【図４Ｂ】実施例１における増幅器の入力信号Ｖｉｎに対して出力信号Ｖｏｕｔが一様増加する場合のクロストーク信号の影響を示すグラフである。
【図５Ａ】比較例における増幅器の入力信号Ｖｉｎに対して出力信号Ｖｏｕｔが一様減少する場合のクロストーク信号の影響を示すグラフである。
【図５Ｂ】実施例２における増幅器の入力信号Ｖｉｎに対して出力信号Ｖｏｕｔが一様減少する場合のクロストーク信号の影響を示すグラフである。
【発明を実施するための形態】
【００１７】
以下、本発明を適用した具体的な実施の形態について、図面を参照しながら詳細に説明する。ただし、本発明が以下の実施の形態に限定される訳ではない。また、説明を明確にするため、以下の記載及び図面は、適宜、簡略化されている。
【００１８】
（第１の実施の形態）
図１Ａは、本発明の第１の実施の形態に係るアレイ型の光送信モジュールの回路構成図である。また、図１Ｂは、本発明の第１の実施の形態に係るアレイ型の光受信モジュールの回路構成図である。
【００１９】
図１Ａに示すように、本実施形態に係る光送信モジュールは、ドライバＩＣ１０１とこれにより駆動される複数の半導体レーザ１０５を備えている。ここで、ドライバＩＣ１０１は、複数の主信号用チャンネル１、２、・・・と、主信号用チャンネル間に配置されたダミーチャンネル１、２、・・・を備えている。一般化すると、ｎ（ｎは自然数）個のチャンネルに対し（ｎ−１）個のダミーチャンネルが設けられる。主信号用の各チャンネルの信号線路は、増幅器１０２、変調回路１０３、バイアス回路１０４を備えている。ここで、半導体レーザ１０５はチャンネル毎に１つずつ設けられている。また、各ダミーチャンネルの信号線路は、直列接続された複数段の増幅器１０６ａ、１０６ｂ、１０６ｃと終端抵抗１０７を備えている。ダミーチャネルには、まず初段の増幅器１０６ａの出力を飽和させる信号が入力される。次に、増幅器１０６ａの出力信号は、次段の増幅器１０６ｂの入力信号であって、この増幅器１０６ｂの出力を飽和させる。以下、全ての後段の増幅器は、順次飽和した信号を出力する。
【００２０】
各チャンネルでは、増幅器１０２に差動信号が入力され、変調回路１０３に対し、信号を出力する。この信号に応じて、変調回路１０３は半導体レーザ１０５を駆動するための変調信号を生成する。バイアス回路１０４により、この変調信号に適切なバイアスが付与され、その信号に応じて半導体レーザ１０５が駆動し、光信号を送信する。
【００２１】
ダミーチャンネルの終端抵抗１０７は増幅器１０６ａ、１０６ｂ、１０６ｃへの電気反射を抑制するものである。ドライバＩＣ１０１の内部に配置しても外部に配置してもよい。発熱が大きければ、ドライバＩＣ１０１の外部に配置することでドライバＩＣ１０１内の発熱を抑えることができる。図１Ａでは、ダミーチャンネルの増幅器１０６ａ〜１０６ｃの段数は３であるが、これに限定される訳でなく、主信号用チャンネルの伝送経路の長さに応じて適宜決定される。即ち、主信号用チャンネルの伝送経路の長さが長ければ、段数を増やせばよい。
【００２２】
一方、図１Ｂに示すように、本実施形態に係る光受信モジュールは、フォトディテクタ１０８とレシーバＩＣ１１４とを備えている。ここで、レシーバＩＣ１１４は、ドライバＩＣ１０１に対応した複数の主信号用チャンネル１、２、・・・と、主信号用チャンネル間に配置されたダミーチャンネル１、２、・・・を備えている。ここで、フォトディテクタ１０８はチャンネル毎に１つずつ設けられている。主信号用の各チャンネルの信号線路は、トランスインピーダンスアンプ（ＴＩＡ：Trans-Impedance Amplifier）１０９、出力振幅を固定するための２つのリミッタアンプ１１０ａ、１１０ｂ及び出力バッファ１１１を備えている。ここで、リミッタアンプの段数は２に限定される訳でなく、適宜決定される。また、各ダミーチャンネルの信号線路は、直列接続された複数段の増幅器１１２ａ、１１２ｂ、１１２ｃ、１１２ｄと終端抵抗１１３を備えている。ダミーチャネルには、まず初段の増幅器１１２ａの出力を飽和させる信号が入力される。次に、増幅器１１２ａの出力信号は、次段の増幅器１１２ｂの入力信号であって、この増幅器１１２ｂの出力を飽和させる。以下、全ての後段の増幅器は、順次飽和した信号を出力する。
【００２３】
各チャンネルでは、フォトディテクタ１０８が受信した光信号を電流に変換する。ＴＩＡ１０９は、この電流を電圧に変換して増幅する。さらに、リミッタアンプ１１０ａ、１１０ｂにより増幅された差動信号が、出力バッファ１１１を介して出力される。
【００２４】
ここで、リミッタアンプ１１０ａ、１１０ｂに代えて、ＡＧＣ（オートゲインコントロール）回路を用いてもよい。また、ダミーチャンネルの初段の増幅器１１２ａを主信号用チャンネルと同じトランスインピーダンスアンプで構成する場合、電圧信号に代わり電流信号が入力される。主信号の伝送経路が差動伝送である場合、ダミーチャンネルはシングルエンド伝送でも差動伝送でもよい。ダミーチャンネルの終端抵抗１１３は増幅器１１２ａ、１１２ｂ、１１２ｃ、１１２ｄへの電気反射を抑制するものである。ＩＣ内部にあっても外部にあってもよい。発熱の問題が大きい場合にはＩＣ外部に配置することでＩＣ内の発熱を抑えることができる。図１Ｂでは、ダミーチャンネルの増幅器の段数は４であるが、これに限定される訳でなく、主信号用チャンネルの伝送経路の長さに応じて適宜決定される。即ち、主信号用チャンネルの伝送経路の長さが長ければ、段数を増やせばよい。
【００２５】
図２Ａ、図２Ｂに示すように、増幅器の入出力特性は大きく二つにわけることができる。一つは、図２Ａに示すように、入力信号に対して出力信号が一様増加する場合（以下、一様増加特性と称す）であり、もう一つは、図２Ｂに示すように、入力信号に対して出力信号が一様減少する場合（以下、一様減少特性と称す）である。いずれも入力が大きくなると出力が飽和する傾向にある。本発明では、主信号の伝送経路にある増幅器１０２、ＴＩＡ１０９、リミッタアンプ１１０ａ、１１０ｂでは飽和していない領域を利用する。一方、ダミーチャンネルの増幅器１０６ａ〜１０６ｃ、１１２ａ〜１１２ｄでは飽和領域を利用する。
【００２６】
望ましくはダミーチャンネルの複数段の増幅器は、入力信号に対して出力信号が一様増加するものとし、それぞれ前段からの入力信号により利得が飽和するように設定される。最終段の増幅器は、後段に増幅器が無いため、一様減少特性を有していてもよい。これにより、終端抵抗での電流消費を低減することができる。ただし、一様減少特性を有している場合であっても、最終段の増幅器自体の出力は飽和している。
【００２７】
図３は、初段の増幅器１０６ａが一様減少特性を有する場合である。増幅器１０６ａの出力には終端抵抗１０７ａが接続されている。このように、ダミーチャンネルの複数段の増幅器の中に一様減少特性を有するものを含む場合、図３のように、一様増加特性を有する増幅器に、別の電圧信号もしくは電流信号を入力してもよい。図３では、一様減少特性を有する初段の増幅器１０６ａへの入力と、一様増加特性を有する後段の増幅器１０６ｂ、１０６ｃへの入力とを別系統としている。
【００２８】
いずれの場合においても、主信号用チャンネルからのクロストーク信号がダミーチャンネルに乗るが、ダミーチャンネルの信号が飽和しているため、出力信号が固定される。クロストーク信号は、周波数が高くなるほど大きくなるので、信号が固定されることにより隣接する主信号用チャンネルへのクロストーク信号は抑制される。
【００２９】
本実施の形態では光送信モジュールに半導体レーザ１０５を用いたが、ＤＣ光源を別途設け、上記半導体レーザ１０５を変調器で置き換えた構成でもよい。
【実施例１】
【００３０】
以下に、図１Ａ、１Ｂを用いてより具体的な実施例について説明する。図１Ａに示すように、光送信モジュールのダミーチャンネルには、複数段の増幅器１０６ａ、１０６ｂ、１０６ｃが直列に接続されている。また、図１Ｂに示すように、光受信モジュールのダミーチャンネルには、複数段の増幅器１１２ａ、１１２ｂ、１１２ｃ、１１２ｄが直列に接続されている。ダミーチャンネルの複数段の増幅器は入力信号に対して出力信号が一様増加するものとし、かつ、それぞれ前段からの入力信号により出力信号が飽和するように設定した。
【００３１】
図４Ａ、４Ｂを用いて、本発明の効果を説明する。図４Ａ、４Ｂは、いずれも増幅器の入力信号Ｖｉｎに対して出力信号Ｖｏｕｔが一様増加する場合（増幅器が一様増加特性を有する場合）のクロストーク信号の影響を示す。横軸が入力信号Ｖｉｎの波形、縦軸がその出力信号Ｖｏｕｔの波形を示している。図４Ａは、比較例のクロストーク信号の影響を表している。図４Ｂは、本実施例１のクロストーク信号の影響を表している。
【００３２】
図４Ａに示した比較例から、ダミーチャンネルを設けない場合のクロストーク信号の影響を知ることができる。チャンネル１への入力信号４０１は単純に増幅された出力信号４０３となる。チャンネル１からチャンネル２へのクロストーク信号４０２もチャンネル２の信号に重畳され単純に増幅された出力信号４０４となる。
【００３３】
一方、図４Ｂに示す実施例では、ダミーチャンネルの伝送信号は、各増幅器により常に飽和している。そのため、この飽和した伝送信号に他チャンネルからのクロストーク信号が重畳しても、飽和した出力レベルに変化がなく、振幅が抑制された信号となる。具体的には、チャンネル１への入力信号４０５は単純に増幅された出力信号４０７となる。他方、チャンネル１からのクロストーク信号４０６は、ダミーチャンネル１への入力信号に重畳する。ここで、ダミーチャンネル１への入力信号が飽和領域であるため、この入力信号にクロストーク信号４０６が重畳した信号も飽和領域にある。そのため、その出力信号４０８は振幅が抑制された信号となる。ダミーチャンネル１からチャンネル２へのクロストーク信号は、比較例と同じくチャンネル２で増幅される。しかしながら、ダミーチャンネル１で既にその振幅が抑えられているため、比較例に比べてクロストーク信号を抑えることができる。
【００３４】
チャンネル２からダミーチャンネル１を介してチャンネル１へのクロストーク信号も同様の理由から抑えることができる。即ち、全チャンネルについて、チャンネル間に設けられた本発明に係るダミーチャンネルにより、相互のクロストーク信号を抑制することができる。このように、本発明の実施の形態では、ダミーチャンネルの増幅器で隣接チャンネルからのクロストーク信号を飽和させることで、さらにその隣にある主信号用チャンネルへのクロストーク信号を低減した。
【００３５】
本実施例では主信号用チャンネルとダミーチャンネルの信号応答を同じ入出力応答カーブ上で説明したが、ダミーチャンネルの増幅器の信号飽和点４０９は主信号チャンネルの信号飽和点よりも低くてもよい。増幅器が複数段直列接続される場合、前段の出力が後段の増幅器の信号飽和点よりも高くなるように設定する。
【実施例２】
【００３６】
上述の通り、図３は、ダミーチャンネルの複数段の増幅器の中に一様減少特性を有するものを含む場合である。初段の増幅器１０６ａが一様減少特性を有し、２段目の増幅器１０６ｂ、１０６ｃは実施例１と同じように一様増加特性を有する場合を示している。ここでも、最終段の増幅器１０６ｃは一様減少特性を有していてもよい。
【００３７】
ここで、ダミーチャンネルの初段の増幅器１０６ａの特性について説明する。図５Ａ、５Ｂは、いずれも増幅器の入力信号Ｖｉｎに対して出力信号Ｖｏｕｔが一様減少する場合のクロストーク信号の影響を示す。図５Ａは、比較例のクロストーク信号の影響を表している。図５Ｂは、本実施例２のクロストーク信号の影響を表している。
【００３８】
図５Ａに示した比較例では、チャンネル１への入力信号５０１は単純に増幅された出力信号５０３となる。チャンネル１からチャンネル２へのクロストーク信号５０２もチャンネル２の信号に重畳され単純に増幅された出力信号５０４となる。
【００３９】
一方、図５Ｂに示す実施例では、ダミーチャンネルの信号が伝送信号とは異なる信号によりすでに増幅され飽和している。例えば、チャンネル１への入力信号５０５は単純に増幅された出力信号５０７となる。他方、チャンネル１からのクロストーク信号５０６は、ダミーチャンネル１への入力信号に重畳する。ここで、ダミーチャンネル１への入力信号が飽和領域であるため、この入力信号にクロストーク信号５０６が重畳した信号も飽和領域にある。そのため、その出力信号５０８は振幅が抑制された信号となる。ダミーチャンネル１からチャンネル２へのクロストーク信号は比較例と同じくチャンネル２で増幅される。しかしながら、ダミーチャンネル１で既にその振幅が抑えられているため、比較例に比べてクロストーク信号を抑えることができる。
【００４０】
チャンネル間隔を広げることでクロストーク信号の影響を弱めることは可能だが、チャンネル間隔を広げると光モジュールのサイズが大きくなる。本発明の実施形態では、伝送信号の周波数が高くなっても光モジュールのサイズを一定に保ったまま、クロストーク信号を抑制できる。本発明によりチャンネルあたり２０Ｇｂｐｓ以上の伝送速度においてクロストーク信号を抑制した小型の多チャンネル光モジュールが実現できた。
【００４１】
なお、特許文献１ではダミーの増幅器を受信モジュールに用いているが、本願と異なり増幅器に対して容量素子を接続している。また、特許文献１の図１０にあるように、プリアンプと参照アンプの特性を近づけることを重視している。一方、本発明では、主信号用チャンネルの増幅器の入出力信号は非飽和レベルで扱われるのに対し、ダミーチャンネル用増幅器の入出力信号は飽和レベルで扱われる。即ち、主信号用チャンネルの増幅器とダミーチャンネルの増幅器の特性は近くない。また、特許文献１では受信モジュールのクロストーク信号の抑制を行ったが、本発明では受信モジュールだけではなく、送信モジュールのクロストーク信号も抑制可能である。
【００４２】
以上、実施の形態を参照して本願発明を説明したが、本願発明は上記によって限定されるものではない。本願発明の構成や詳細には、発明のスコープ内で当業者が理解し得る様々な変更をすることができる。
【符号の説明】
【００４３】
１０１    光送信モジュール
１０２    増幅器
１０３    変調回路
１０４    バイアス回路
１０５    半導体レーザ
１０６ａ〜１０６ｃ    増幅器
１０７、１０７ａ、１０７ｂ    終端抵抗
１０８    フォトディテクタ
１１０ａ、１１０ｂ    リミッタアンプ
１１１    出力バッファ
１１２ａ〜１１２ｄ    増幅器
１１３    終端抵抗
１０１    ドライバＩＣ
１１４    レシーバＩＣ
【図１Ａ】
0005418267.tif 000002
【図１Ｂ】
0005418267.tif 000003
【図２Ａ】
0005418267.tif 000004
【図２Ｂ】
0005418267.tif 000005
【図３】
0005418267.tif 000006
【図４Ａ】
0005418267.tif 000007
【図４Ｂ】
0005418267.tif 000008
【図５Ａ】
0005418267.tif 000009
【図５Ｂ】
0005418267.tif 000010